(57)【要約】【課題】  介護者が前屈すると両肩部から両膝部に掛けたベルトの引張力と腰部の周りの締め付け力が自動的に増大し、前屈しない状態では双方の力が自動的に解除される。【解決手段】  左ベルト１と右ベルト２とを、それぞれ左右の肩部から、背部及び腰部に位置する４箇所の保持部５１〜５４を経由して、左右の膝部に至るように装着する。左腰部ベルト３と右腰部ベルト４との一端部を、それぞれ保持部５１〜５２、５３〜５４の間において、左ベルト１と右ベルト２とに摺動自在に連結し、他端部を、それぞれ腰部の周りに左右方向に巻きつける。前屈すると左右のべルトが引張られて張力が生じると共に、左右の腰部ベルトも引張られて腰部の周りの締め付け力が増大する。前屈しないときには、左右のべルトの張力及び左右の腰部ベルトの締め付け力が共に解除される。【選択図】  図１
2011000277.tif 000002
【特許請求の範囲】
【請求項１】
左右の肩部、背部、背側の腰部、臀部、及び左右の大腿部または膝部にわたって装着される腰部筋力補助具であって、
左ベルト、右ベルト、左腰部ベルト、右腰部ベルト、及びこの左ベルト及び右ベルトと相互に摺動自在な保持具を備え、
上記左ベルト及び右ベルトは、それぞれ伸縮性の部分を有し、
上記保持具は、上記背側の腰部に位置すると共に、上下２個所において、それぞれ左右対称に設けた合計４の保持部を有し、
上記左ベルトは、左肩部から、左背部及び左側に位置する上下２個所の上記保持部を経由して、左大腿部または左膝部に至るように装着され、
上記右ベルトは、右肩部から、右背部及び右側に位置する上下２個所の上記保持部を経由して、右大腿部または右膝部に至るように装着され、
上記左腰部ベルトの一端部は、左側に位置する上下２個所の上記保持部の間において上記左ベルトに摺動自在に連結されると共に、他端部は、上記腰部の周りに左方向に巻きつけられ、
上記右腰部ベルトの一端部は、右側に位置する上下２個所の上記保持部の間において上記右ベルトに摺動自在に連結されると共に、他端部は、上記腰部の周りに右方向に巻きつけられる
ことを特徴とする腰部筋力補助具。
【請求項２】
左右の肩部、背部、背側の腰部、臀部、及び左右の大腿部または膝部にわたって装着される腰部筋力補助具であって、
左ベルト、右ベルト、左腰部ベルト、右腰部ベルト、及びこれらの左ベルト及び右ベルトと相互に摺動自在な保持具を備え、
上記左ベルト及び右ベルトは、それぞれ伸縮性の部分を有し、
上記保持具は、上記背側の腰部に位置すると共に、上下２個所において、それぞれ左右対称に設けた合計４の保持部を有し、
上記左ベルトは、左肩部から、上記背部及び右側に位置する上下２個所の上記保持部を経由して、左大腿部または左膝部に至るように装着され、
上記右ベルトは、右肩部から、上記背部及び左側に位置する上下２個所の上記保持部を経由して、右大腿部または右膝部に至るように装着され、
上記左腰部ベルトの一端部は、左側に位置する上下２個所の上記保持部の間において上記右ベルトに摺動自在に連結されると共に、他端部は、上記腰部の周りに左方向に巻きつけられ、
上記右腰部ベルトの一端部は、右側に位置する上下２個所の上記保持部の間において上記左ベルトに摺動自在に連結されると共に、他端部は、上記腰部の周りに右方向に巻きつけられる
ことを特徴とする腰部筋力補助具。
【請求項３】
左右の肩部、背部、背側の腰部、臀部、及び左右の大腿部または膝部にわたって装着される腰部筋力補助具であって、
上部ベルト、下部ベルト、及びこれらの上部ベルト及び下部ベルトと相互に摺動自在な保持具を備え、
上記上部ベルト及び下部ベルトは、それぞれ伸縮性の部分を有し、
上記上部ベルトは、上記左右の肩部から上記背部に至るＶ字部分と、このＶ字部分の交点に連がる上帯部とを有し、
上記下部ベルトは、上記左右の大腿部または左右の膝部から上記臀部に至る逆Ｖ字部分と、この逆Ｖ字部分の交点に連がる下帯部とを有し、
上記保持具は、上記背側の腰部に位置すると共に、２の保持部を有し、
上記上帯部は、上記２の保持部の一方を経由して、上記腰部の周りに右または左方向に巻きつけられ、
上記下帯部は、上記２の保持部の他方を経由して、上記腰部の周りに上記上帯部とは逆方向に巻きつけられる
ことを特徴とする腰部筋力補助具。
【請求項４】
左右の肩部、背部、背側の腰部、臀部、及び左右の大腿部または膝部にわたって装着される腰部筋力補助具であって、
上部ベルト、下部ベルト、及びこれらの上部ベルト及び下部ベルトと相互に摺動自在な保持具を備え、
上記上部ベルトは、左上部ベルトと右上部ベルトとを有し、
上記左上部ベルトと右上部ベルトと下部ベルトとは、それぞれ伸縮性の部分を有し、
上記保持具は、上記背側の腰部に位置すると共に、上２個所及び下１個所に設けた合計３の保持部を有し、
上記左上部ベルトは、左肩部から上記上２個所に設けたいずれか一方の保持部を経由して、上記腰部の周りに左右のいずれか一方向に巻きつけられ、
上記右上部ベルトは、右肩部から上記上２個所に設けたいずれか他方の保持部を経由して、上記腰部の周りに上記左上部ベルトとは逆方向に巻きつけられ、
上記下部ベルトは、左大腿部または左膝部から上記下１個所に設けた保持部を経由して、右大腿部または右膝部に至るように装着される
ことを特徴とする腰部筋力補助具。
【発明の詳細な説明】
【技術分野】
【０００１】
本発明は、介護等を行なう者が使用する腰部筋力補助具に関する。
【背景技術】
【０００２】
少子高齢化が進む今日においては、介護者の拡充等が強く求められている。ところで介護動作は、介護者が前屈して行なう場合が多く、このような前屈した状態で要介護者を支持等する場合には、介護者の腰部に大きな負担が掛かり易い。さらに介護は、長期間に亘るため、介護者に腰痛等が生じる場合も多い。
【０００３】
そこで介護者の腰部に掛かる負担を軽減するために、例えば次のような腰部負担軽減具が提案されている（特許文献１参照。）。すなわちこの腰部負担軽減具は、左右の肩部から、背中において襷掛けに交差しつつ腰部及び臀部を経由して、右左の膝部または足裏部に至るベルトで構成されている。このような腰部負担軽減具を装着した介護者が前屈したときには、このベルトが引張られて張力を生じ、このベルトの張力によって腰部に掛かる負担を軽減するものである。なお前屈姿勢以外では、このベルトは緩んで、張力は生じない。したがって介護者の筋力低下を招くが恐れがないとされている。
【０００４】
また従来から、腰部の負担を軽減するために、コルセット等によって腰部の周りを締め付けることが行なわれている。
【先行技術文献】
【特許文献】
【０００５】
【特許文献１】特許第４０００２５４号公報
【発明の概要】
【発明が解決しようとする課題】
【０００６】
しかるにコルセット等を装着したまま、長時間にわたって腰部の周りを締め付けていると、内蔵や血管等の圧迫による負担等が大きくなる。そこで腰部に負担が掛かる前屈動作を行なわないときには、コルセット等を緩める必要があるが、その都度コルセット等を緩めたり、再度締め付けたりしていては、手間が掛かって実用性に欠ける。
【０００７】
そこで本発明の目的は、前屈姿勢のときには腰部の周りの締め付け力が増大し、前屈姿勢以外のときには腰部の周りの締め付け力が緩む、腰部筋力補助具を提供することにある。
【課題を解決するための手段】
【０００８】
上記課題を解決するために、本発明による腰部筋力補助具の特徴は、介護者が前屈したときには、両肩部、背部、背側の腰部、及び両膝部または両大腿部にわたって設けたベルトに張力を生じさせると共に、腰部の周りの締め付け力も増大させて、より効果的に腰部の負担を軽減でき、前屈しないときには、このベルトの張力と腰部の周りの締め付け力との双方を緩めることができることにある。
【０００９】
すなわち本発明による腰部筋力補助具は、左右の肩部、背部、背側の腰部、臀部、及び左右の大腿部または膝部にわたって装着され、左ベルト、右ベルト、左腰部ベルト、右腰部ベルト、及びこれらの左ベルト及び右ベルトと相互に摺動自在な保持具を備えている。上記左ベルト及び右ベルトは、それぞれ伸縮性の部分を有し、上記保持具は、上記背側の腰部に位置すると共に、上下２個所において、それぞれ左右対称に設けた合計４の保持部を有している。上記左ベルトは、左肩部から、左背部及び左側に位置する上下２個所の上記保持部を経由して、左大腿部または左膝部に至るように装着され、上記右ベルトは、右肩部から、右背部及び右側に位置する上下２個所の上記保持部を経由して、右大腿部または右膝部に至るように装着される。
【００１０】
上記左腰部ベルトの一端部は、左側に位置する上下２個所の上記保持部の間において、上記左ベルトに摺動自在に連結されると共に、他端部は、上記腰部の周りに左方向に巻きつけられる。また上記右腰部ベルトの一端部は、右側に位置する上下２個所の上記保持部の間において上記右ベルトに摺動自在に連結されると共に、他端部は、上記腰部の周りに右方向に巻きつけられる。
【００１１】
ところで上述した左ベルト及び右ベルトを背部で交差させて、上下２個所に設けた保持部に、それぞれ左右逆に経由させてもよい。すなわちこの腰部筋力補助具は、左右の肩部、背部、背側の腰部、臀部、及び左右の大腿部または膝部にわたって装着されるものであって、左ベルト、右ベルト、左腰部ベルト、右腰部ベルト、及びこれらの左ベルト及び右ベルトと相互に摺動自在な保持具を備えている。上記左ベルト及び右ベルトは、それぞれ伸縮性の部分を有し、上記保持具は、上記背側の腰部に位置すると共に、上下２個所において、それぞれ左右対称に設けた合計４の保持部を有している。
【００１２】
上記左ベルトは、左肩部から、上記背部及び右側に位置する上下２個所の上記保持部を経由して、左大腿部または左膝部に至るように装着され、上記右ベルトは、右肩部から、上記背部及び左側に位置する上下２個所の上記保持部を経由して、右大腿部または右膝部に至るように装着される。上記左腰部ベルトの一端部は、左側に位置する上下２個所の上記保持部の間において上記右ベルトに摺動自在に連結されると共に、他端部は、上記腰部の周りに左方向に巻きつけられ、上記右腰部ベルトの一端部は、右側に位置する上下２個所の上記保持部の間において上記左ベルトに摺動自在に連結されると共に、他端部は、上記腰部の周りに右方向に巻きつけられる。
【００１３】
また上述した左ベルトと右ベルトとを腰部で上下２分して、それぞれＹ字状に構成し、このＹ字状の足部を、背側の腰部に位置する保持具を経由して、腰部の周りにそれぞれ左右逆向きに巻きつけるように構成することもできる。すなわちこの腰部筋力補助具は、左右の肩部、背部、背側の腰部、臀部、及び左右の大腿部または膝部にわたって装着されるものであって、上部ベルト、下部ベルト、及びこれらの上部ベルト及び下部ベルトと相互に摺動自在な保持具を備えている。上記上部ベルト及び下部ベルトは、それぞれ伸縮性の部分を有している。
【００１４】
上記上部ベルトは、上記左右の肩部から上記背部に至るＶ字部分と、このＶ字部分の交点に連がる上帯部とを有し、上記下部ベルトは、上記左右の大腿部または左右の膝部から上記臀部に至る逆Ｖ字部分と、この逆Ｖ字部分の交点に連がる下帯部とを有している。上記保持具は、上記背側の腰部に位置すると共に、２の保持部を有している。上記上帯部は、上記２の保持部の一方を経由して、上記腰部の周りに右または左方向に巻きつけられ、上記下帯部は、上記２の保持部の他方を経由して、上記腰部の周りに上記上帯部とは逆方向に巻きつけられる。
【００１５】
さらに上述した左ベルトと右ベルトとを腰部で上下２分して、この２分された上側の左ベルトと右ベルトとを、それぞれ背側の腰部の中央部に位置する保持具を経由して、腰部の周りにそれぞれ左右逆向きに巻きつけると共に、この２分された下側の左ベルトと右ベルトとを、上記保持具において相互に連結させるように構成することもできる。すなわちこの腰部筋力補助具は、左右の肩部、背部、背側の腰部、臀部、及び左右の大腿部または膝部にわたって装着されるものであって、上部ベルト、下部ベルト、及びこれらの上部ベルト及び下部ベルトとそれぞれ相互に摺動自在な保持具を備えている。
【００１６】
上記上部ベルトは、左上部ベルトと右上部ベルトとを有し、この左上部ベルトと右上部ベルトと上記下部ベルトとは、それぞれ伸縮性の部分を有している。上記保持具は、上記背側の腰部に位置すると共に、上２個所及び下１個所に設けた合計３の保持部を有している。上記左上部ベルトは、左肩部から上記上２個所に設けたいずれか一方の保持部を経由して、上記腰部の周りに左右のいずれか一方向に巻きつけられ、上記右上部ベルトは、右肩部から上記上２個所に設けたいずれか他方の保持部を経由して、上記腰部の周りに上記左上部ベルトとは逆方向に巻きつけられる。上記下部ベルトは、左大腿部または左膝部から上記下１個所に設けた保持部を経由して、右大腿部または右膝部に装着される。
【００１７】
ここで「上記左ベルト及び右ベルトは、それぞれ伸縮性の部分を有し」とは、左ベルト及び右ベルトの一部分が、それぞれ伸縮性を有する素材で構成されていることを意味する。「合計４の保持部」の「保持部」とは、左ベルト及び右ベルトを、それぞれ摺動自在に保持する部分を意味し、保持具に設けられた、例えば左ベルト及び右ベルトが摺動自在に貫通する開口孔若しくはリング状部材、またはフック状部材等が該当する。なお「合計４の保持部」には、それぞれ別個の４個の開口孔等に限らず、例えば上下２個の横長開口孔であって、それぞれの横長開口孔の左右両端部、あるいは例えば１個の矩形開口孔であって、この矩形開口孔の４隅も含む。
【００１８】
「左背部」と「右背部」とは、それぞれ背部の左側と右側とを占める部分を意味する。「上記左腰部ベルトの一端部は、・・・・・上記左ベルトに摺動自在に連結される」とは、左腰部ベルトの一端部が、左ベルトに沿って摺動できるように、この左ベルトに連結されることを意味する。なお「上記右腰部ベルトの一端部は、・・・・上記右ベルトに摺動自在に連結される」も、同等の意味である。「Ｖ字部分の交点」及び「逆Ｖ字部分の交点」とは、それぞれＶ字の尖った部分を意味する。
【００１９】
「２の保持部」には、例えば、それぞれ別個の２個の開口孔に限らず、例えば１個の開口長孔であって、この開口長孔の両端部も含む。「上２個所及び下１個所に設けた合計３の保持部」には、例えば、それぞれ別個の３個の開口孔に限らず、例えば上部に設けた１個の横長開口孔と下部に設けた１個の開口孔とであって、この上部に設けた横長開口孔の左右両端部と、この下部に設けた１個の開口孔との組合せも含む。また例えば１個の逆三角形の開口孔であって、この開口孔の上側２隅と下側１隅との３隅も含む。
【発明の効果】
【００２０】
左右の肩部から、それぞれ背側の腰部に位置する保持具を介して、左右の膝部または大腿部に伸縮性の部分を有するベルトを掛けることによって、介護者が前屈姿勢をとったときには、これらのベルトが引張られて張力が生じ、これにより介護者の腰部に掛かる負担が軽減できる。さらにこれらのベルトが引張られて張力が生じるときには、これらのベルトに摺動自在に連結等されている腰部ベルトも引張られて、腰部の周りの締め付け力が増大する。したがってベルトの張力と腰部の周りの締め付け力との相乗効果によって、より効果的に介護者の腰部に掛かる負担が軽減できる。
【００２１】
介護者が前屈しないときには、上述したベルトは緩んで、張力が生じない。またこれらのベルトが緩めば、これらのベルトに摺動自在に連結等されている腰部ベルトも緩む。したがって前屈しない状態においては、介護者はこれらのベルト及び腰部ベルトのいずれからも拘束されないため、動き易くなると共に、長時間にわたって身体を締め付ける弊害等を回避できる。すなわち本発明による腰部筋力補助具は、介護者が前屈すると、腰部の周りの締め付け力が自動的に増大し、前屈しない状態においては、腰部の周りの締め付け力が自動的に緩むため、介護者の腰部に掛かる負担をより効果的に軽減できると共に、使い勝手にも優れる。
【図面の簡単な説明】
【００２２】
【図１】介護者を背後から見たときの腰部筋力補助具の模式図である。
【図２】介護者を背後から見たときの他の腰部筋力補助具の模式図である。
【図３】介護者を背後から見たときの他の腰部筋力補助具の模式図である。
【図４】介護者を背後から見たときの他の腰部筋力補助具の模式図である。
【図５】介護者を背後から見たときの他の腰部筋力補助具の模式図である。
【図６】介護者を背後から見たときの他の腰部筋力補助具の模式図である。
【図７】介護者を背後から見たときの他の腰部筋力補助具の模式図である。
【図８】介護者を背後から見たときの他の腰部筋力補助具の模式図である。
【図９】保持具まわりの一部拡大図である。
【図１０】介護者に装着した腰部筋力補助具の水平断面図である。
【図１１】左ベルトを左膝部に装着した状態を示す斜視図である。
【図１２】左ベルトを左膝部に装着する部分の拡大斜視図である。
【図１３】他の保持具まわりの一部拡大図である。
【図１４】他の保持具まわりの一部拡大図である。
【発明を実施するための形態】
【００２３】
図１〜図１４を参照しつつ、本発明による腰部筋力補助具の構成と作用とを説明する。さて図１に示すように、本発明による腰部筋力補助具は、左右の肩部、背部、背側の腰部、臀部、及び左右の大腿部または膝部にわたって装着され、左ベルト１、右ベルト２、左腰部ベルト３、右腰部ベルト４、及びこれらの左ベルト及び右ベルトと相互に摺動自在な保持具５を備えている。左ベルト１及び右ベルト１において、背側の腰部の中央部に位置する保持具５から、それぞれ背部と大腿部とに至る部分は、非伸縮性ベルト１１、２１で構成してある。非伸縮性ベルト１１、２１の上端は、それぞれ伸縮性ベルト１２、２２に連結してあり、これらの伸縮性ベルトは、左右の肩部から胸部の左右と左右の腋の下とをそれぞれ廻って、背部の上部において相互に連結してある。なお伸縮性ベルト１２、２２の先端部を、胸部の左右において、それぞれ上半身用のジャケット等に連結するように構成してもよい。
【００２４】
非伸縮性ベルト１１、２１の下端は、それぞれ左右２本に分かれた伸縮性ベルト１３、２３に連結してあり、これらの２本に分かれた伸縮性ベルトは、それぞれ左右の膝部の下部に巻設したリング状の係止部１４、２４に連結されている。なお非伸縮性ベルト１１等は、天然繊維や合成繊維を織った非伸縮性の帯状の布、これらの帯状の布を合成樹脂等で被覆したベルト、あるいは合成樹脂シートや皮のベルト等を使用する。また伸縮性ベルト１２等は、天然若しくは合成ゴム繊維等を織り込んだ伸縮性の帯状の布、あるいは天然繊維や合成繊維を織った伸縮性の帯状の布を、伸縮性の合成樹脂で被覆したベルト等を使用する。
【００２５】
さて保持具５は、図９に示すように上下２個所において、それぞれ左右対称に設けた合計４の保持部５１〜５４を有している。保持部５１〜５４は、合成樹脂製の矩形リング形状を有しており、それぞれ連結帯５６を介してリベット５７によって、非伸縮性の四角形の厚布からなる保持基材５５の４隅に固定されている。左ベルト１は、左肩部から左背部、及び左側に位置する上下２個所の保持部５１、５２を経由して、左膝部に至るように装着され、右ベルト２は、右肩部から右背部、及び右側に位置する上下２個所の保持部５３、５４を経由して、右膝部に至るように装着される。
【００２６】
図９に示すように左腰部ベルト３の一端部３１は、左側に位置する上下２個所の保持部５１、５２の間において、合成樹脂製の矩形リング形状を有する連結具３２を介して、左ベルト１に摺動自在に連結される。また図１０に示すように、左腰部ベルト３の他端部３３は、腰部の周りに左方向に巻きつけられる。右腰部ベルト４の一端部４１は、右側に位置する上下２個所の保持部５３，５４の間において、連結具４２を介して右ベルト２に摺動自在に連結されると共に、他端部４３は、上記腰部の周りに右方向に巻きつけられる。
【００２７】
ここで図９に示すように、左ベルト１と右ベルト２とは、保持部５１、５２と保持部５３、５４との間において、それぞれ左右方向に突出した「く」の字状に屈曲した状態で、この左腰部ベルトと右腰部ベルトとに摺動自在に連結される。したがって左ベルト１と右ベルト２とが、それぞれ上下方向に引っ張られると、左腰部ベルト３と右腰部ベルト４とが、それぞれ腰部の中心に向かって引っ張られ、この左腰部ベルトと右腰部ベルトとによる腰部の周りの締め付け力が増大する。
【００２８】
なお図９及び図１０に示すように、左腰部ベルト３及び右腰部ベルト４は、腰部の周りに装着したコルセット６の上から左右方向に巻きつける。すなわちコルセット６は、上述した保持具５の保持基材５５の左右端に、それぞれ３本の伸縮性の帯部材６１を連結し、この３本の帯部材の左右端に、それぞれ非伸縮性からなる幅広の左帯部６２と右帯部６３とを連結して構成される。
【００２９】
また図１０に示すように、コルセット６の左端部６５の内側面と、右端部６４の外側面とには、それぞれマジックテープ（登録商標）６６ａ、６６ｂが設けてあり、両者を貼り合せて、このコルセットを腰部の周りに装着する。また左腰部ベルト３の他端部３３の内側面と、この位置に対応するコルセット６の表面とには、それぞれマジックテープ（登録商標）３４ａ、３４ｂが設けてある。図示していないが、同様に右腰部ベルト４の他端部４３の内側面と、この位置に対応するコルセット６の表面とにも、それぞれマジックテープ（登録商標）が設けてある。
【００３０】
したがって左腰部ベルト３の他端部３３と、右腰部ベルト４の他端部４３とを、コルセット６の表面に重ねれば、この左腰部ベルトと右腰部ベルトとを、このコルセットを挟んで、腰部の周りに巻きつけることができる。なおマジックテープ（登録商標）３４ａ、６６ａ等の替わりに、複数の個所に設けたボタン及びボタン孔、あるいは複数の個所に設けたフック等によって、コルセット６や左腰部ベルト３及び右腰部ベルト４を、腰部の周りに巻きつけるようにしてもよい。またコルセット６の両端部、並びに左腰部ベルト３及び右腰部ベルト４の端部に、紐やベルトに使用されるバックル金具等を連結して、これらを用いて、このコルセット、左腰部ベルト、及び右腰部ベルトを、腰部の周りに巻きつけるようにしてもよい。
【００３１】
すなわちマジックテープ（登録商標）３４ａ、６６ａ等、複数の個所に開けたボタン孔及びボタン、あるいは複数の個所に設けたフック等によって、コルセット６や左腰部ベルト３及び右腰部ベルト４を、腰部の周りに巻きつけるようにすれば、これらの取り付けや取外しが、極めて容易にとなり、さらにこれらのコルセットや左腰部ベルト及び右腰部ベルトの初期締め付け力を、容易かつ迅速に増減することができる。
【００３２】
図１１及び図１２に、左ベルト１の下端に位置する左右２本に分かれた伸縮性ベルト１３と、この伸縮性ベルトの下端部に連結するリング状の係止部１４との詳細を示す。すなわち図１１に示すように、左ベルト１における非伸縮性ベルト１１の下端は、合成樹脂製の四角リング形状の連結部１５に連結され、左右２本に分かれた伸縮性ベルト１３の上端部は、この四角リング形状の連結部の中空孔に挿入されて連結される。
【００３３】
また図１２に示すように、リング状の係止部１４は、左膝部の下部に巻きつけられる帯状のパッド部材１４ａと、このパッド部材の外側面に巻設した非伸縮性の帯部材１４ｂとから構成される。左右２本に分かれた伸縮性ベルト１３の下端部は、それぞれ帯部材１４ｂに連結される。また帯部材１４ｂは、合成樹脂製の四角リング形状の連結部１４ｃと、この帯部材の先端部等に設けたマジックテープ（登録商標）１４ｄ、１４ｅとによって、膝部への巻設長さを調整することができる。なお右ベルト２の下端に位置する左右２本に分かれた伸縮性ベルト２３の下端も、同様な構成によって、右膝部の下部に取り付けられる。
【００３４】
このようにリング状の係止部１４を、帯状のパッド部材１４ａと、巻設長さが調整可能な帯部材１４ｂとで構成することによって、このリング状の係止部を、膝部の下部等に容易かつ迅速に取り付けたり取り外したりすることができる。また膝部の下部太さが異なる介護者も、無理なく使用することができるようになる。
【００３５】
なお左右２本に分かれた伸縮性ベルト１３の替わりに、三角形の伸縮性の布を使用して、この三角形の頂部を左ベルト１の非伸縮性ベルト１１の下端に連結し、この三角形の底辺の両端部を帯部材１４ｂに連結するように構成することも容易にできる。またパッド部材１４ａを伸縮性のリング部材として、このパッド部材に左右２本に分かれた伸縮性ベルト１３等を直接連結することによって、帯部材１４ｂを省略するように構成することも容易にできる。
【００３６】
さて図２に示す腰部筋力補助具は、左ベルト１０１と右ベルト１０２との下端部が、それぞれ左右の大腿部に巻設した係止部１１４、１２４に連結される点だけが、図１で示した腰部筋力補助具と相違する。なお図１で示した部品または部位と同等のものは、参照を容易にする等のため、図２において一律１００を加えた番号にしている（以下図３〜図８、及び図１３〜図１４においても同様に、一律２００〜７００を加えた番号にしている。）。
【００３７】
次に図３に示す腰部筋力補助具は、左ベルト２０１及び右ベルト２０２を背部で交差させて、左腰部ベルト２０３と右腰部ベルト２０４との一端部を、それぞれ図１に示したものとは逆に、この右ベルトと左ベルトとに摺動自在に連結したものである。すなわち左ベルト２０１は、左肩部から、背部及び右側に位置する上下２個所の保持部２５３、２５４を経由して、左膝部に至るように装着される。右ベルト２０２は、右肩部から、背部及び左側に位置する上下２個所の保持部２５１、２５２を経由して、右膝部に至るように装着される。
【００３８】
左腰部ベルト２０３の一端部は、左側に位置する上下２個所の保持部２５１、２５２の間において、右ベルト２０２に摺動自在に連結されると共に、他端部は、腰部の周りに左方向に巻きつけられる。右腰部ベルト２０４の一端部は、右側に位置する上下２個所の保持部２５３、２５４の間において、左ベルト２０１に摺動自在に連結されると共に、他端部は、上記腰部の周りに右方向に巻きつけられる。
【００３９】
次に図４に示す腰部筋力補助具は、図３に示した腰部筋力補助具とは、左右のリング状の係止部３１４、３２４の巻設位置を、左右の膝部の下部に替えて左右の大腿部に変更した点だけが相違する。
【００４０】
次に図５に示す腰部筋力補助具は、上部ベルト４０７、下部ベルト４０８、及びこれらの上部ベルト及び下部ベルトとそれぞれ相互に摺動自在な保持具４０５を備えている。上部ベルト４０７は、左右の肩部から背部中央に至るＶ字部分４７１と、このＶ字部分の交点に連がる上帯部４７２とを有している。なおＶ字部分４７１は、伸縮性ベルトで構成され、左右の肩部、胸部の左右、及び左右の腋の下を経由して、背部の上部において連結される。また上帯部４７２は、非伸縮性ベルトで構成してある。下部ベルト４０８は、左右の膝部から臀部中央に至る逆Ｖ字部分４８１と、この逆Ｖ字部分の交点に連がる下帯部４８２とを有しており、これらはいずれも非伸縮性ベルトで構成されている。逆Ｖ字部分４８１の両下端部は、それぞれ左右２本に分かれた伸縮性ベルト４８３で構成され、これらの左右２本に分かれた伸縮性ベルトの下端部は、それぞれ左右の膝部の下部に巻設されたリング状の係止部４８４に連結される。
【００４１】
保持具４０５まわりの詳細を、図１３に示す。すなわち保持具４０５は、合成樹脂製の板状部材であって、上下２個所に開口する斜めスリット４５１、４５２を有している。
保持具４０５は、背側の腰部の中央部において、腰部のまわりに装着するコルセット４０６に取り付けられている。なおコルセット４０６の構成は、図９及び図１０に示すものと同等である。上部ベルト４０７のＶ字部分４７１は、連結部４７３を介して上帯部４７２に連結され、この上帯部は、保持具４０５に開口する上側の斜めスリット４５１を貫通して、腰部のまわりに左方向に巻き付けられる。
【００４２】
下部ベルト４０８の逆Ｖ字部分４８１は、連結布４８３を介して下帯部４８２に連結され、この下帯部は、保持具４０５に開口する下側の斜めスリット４５２を貫通して、腰部のまわりに右方向に巻き付けられる。なお上下２個所に開口する斜めスリット４５１、４５２の傾き方向を右下がりにすれば、上帯部４７２と下帯部４８２とは、それぞれ上述した方向と逆向きに、腰部のまわりに巻き付けられる。なお上帯部４７２と下帯部４８２とを腰部のまわりに巻き付ける構成は、図９及び図１０に示すものと同等である。
【００４３】
図６に示す腰部筋力補助具は、図５示した腰部筋力補助具とは、左右のリング状の係止部５８４、５８４の巻設位置を、左右の膝部の下部に替えて左右の大腿部に変更した点だけが相違する。
【００４４】
次に図７に示す腰部筋力補助具は、図１に示した腰部筋力補助具の左ベルト１と右ベルト２とを腰部で上下２分して、この２分された上側の左ベルトと右ベルトとを、それぞれ背側の腰部の中央部に位置する保持具５を経由して、腰部の周りにそれぞれ左右逆向きに巻きつけると共に、この２分された下側の左ベルトと右ベルトとを、上記保持具において相互に連結させるように構成したものである。すなわちこの腰部筋力補助具は、上部ベルト６０７、下部ベルト６０８、及びこれらの上部ベルト及び下部ベルトとそれぞれ相互に摺動自在な保持具６０５を備えている。
【００４５】
上部ベルト６０７は、左上部ベルト６７１と右上部ベルト６７２とを有している。左上部ベルト６７１と右上部ベルト６７２との上側部分は、伸縮性ベルトになっており、左右の肩部から胸部の左右と左右の腋の下とをそれぞれ廻って、背部の上部において相互に連結してある。また左上部ベルト６７１と右上部ベルト６７２との下側部分は、非伸縮性ベルトになっている。保持具６０５は、背側の腰部の中央部に位置すると共に、上２個所及び下１個所に設けた合計３の保持部６５１〜６５３を有している。
【００４６】
保持具６０５まわりの詳細を、図１４に示す。すなわち保持具６０５は、合成樹脂製の板状部材であって、上２個所に開口する斜めスリット６５１、６５３と、下１個所に開口する水平スリット６５２とを有している。なお保持具６０５は、背側の腰部の中央部において、腰部のまわりに装着するコルセット６０６に取り付けられている。またコルセット６０６の構成は、図９及び図１０に示すものと同等である。左上部ベル６７１は、左肩部から保持具６０５に開口する左側の斜めスリット６５１を貫通して、腰部の周りに左方向に巻きつけられる。右上部ベルト６７２は、右肩部から保持具６０５に開口する右側の斜めスリット６５３を貫通して、腰部の周りに左上部ベルトとは逆方向に巻きつけられる。
【００４７】
下部ベルト６０８は、保持具６０５の下１個所に開口する水平スリット６５２を貫通しして、左右の膝部に装着される。すなわち下部ベルト６０８は、保持具６０５の水平スリット６５２を挟む左下ベルト６８１と右下ベルト６８２とからなり、それぞれの下端部が、さらに２本の伸縮性ベルト６８３に分かれ、この２本の伸縮性ベルトが、それぞれ左右の膝部の下部に巻設されたリング状の係止部６８４に連結される。なお下部ベルト６０８の上側部分、すなわち２本の伸縮性ベルト６８３以外の部分は、非伸縮性ベルトとなっている。
【００４８】
図８に示す腰部筋力補助具は、図７示した腰部筋力補助具とは、左右のリング状の係止部７８４、７８４の巻設位置を、左右の膝部の下部に替えて左右の大腿部に変更した点だけが相違する。
【００４９】
なお上述した腰部筋力補助具を、いずれも上下半身一体、または上下半身で分離したボディースーツに取り付けるように構成することも容易にできる。腰部筋力補助具をボディースーツと一体的に構成すれば、身体への装着及び取外しが容易になると共に、腰部筋力補助具の取り付け位置がずれ難くなる。また腰部筋力補助具の非伸縮性ベルトの部分等を２分し、連結具を介して長さ調節が可能なように構成することも容易にできる。非伸縮性ベルトの部分等の長さ調節が可能であれば、介護者の体型が大きく異なっても、腰部筋力補助具を適正に装着することができる。
【産業上の利用可能性】
【００５０】
前屈すると自動的に腰部の周りの締め付け力が増大して、より効果的に腰部の負担を軽減できると共に、前屈しないときには、腰部の周りの締め付け力が自動的に解除されるため、介護に関する産業に広く利用可能である。
【符号の説明】
【００５１】
１、１０１、２０１          左ベルト
１１                        非伸縮性ベルト
１２                        伸縮性ベルト（伸縮性の部分）
１３                        伸縮性ベルト（伸縮性の部分）
１４、１１４〜３１４        係止部
２、１０２、２０２          右ベルト
２１                        非伸縮性ベルト
２２                        伸縮性ベルト（伸縮性の部分）
２３                        伸縮性ベルト（伸縮性の部分）
２４、１２４〜３２４        係止部
３、２０３                  左腰部ベルト
４、２０４                  右腰部ベルト
４０７、６０７              上部ベルト
４７１                      Ｖ字部分
４７２                      上帯部
４０８、６０８              下部ベルト
４８１                        逆Ｖ字部分
４８２                        下帯部
４８３、６８３                伸縮性ベルト（伸縮性の部分）
４８４、６８４                係止部
５、２０５、４０５、６０５    保持具
５１、２５１、４５１、６５１  保持部
５２、２５２、４５２、６５２  保持部
５３、２５３、６５３          保持部
５４、２５４                  保持部
５８４                        係止部
６７１                        左上部ベルト
６７２                        右上部ベルト
６８１                        左下部ベルト
６８２                        右下部ベルト
【図１】
2011000277.tif 000003
【図２】
2011000277.tif 000004
【図３】
2011000277.tif 000005
【図４】
2011000277.tif 000006
【図５】
2011000277.tif 000007
【図６】
2011000277.tif 000008
【図７】
2011000277.tif 000009
【図８】
2011000277.tif 000010
【図９】
2011000277.tif 000011
【図１０】
2011000277.tif 000012
【図１１】
2011000277.tif 000013
【図１２】
2011000277.tif 000014
【図１３】
2011000277.tif 000015
【図１４】
2011000277.tif 000016